(57)【要約】【課題】貯湯タンクを小型化するために容量を少なくすると、使用中に湯切れの問題を生じやすくなる一方で、貯湯タンクをある一定容量に保ちながら筐体全体の小型化を図るヒートポンプ給湯機を提供すること。【解決手段】空気冷媒熱交換器２３と貯湯タンク３０とは、仕切り板１１の左右方向に設置しており、仕切り板１１はその一部が貯湯タンク３０の側面に沿った形状となっている。また、貯湯タンク３０の重心位置３０Ａは筐体１０内の中心１０Ａよりも後方側となるように配置し、その一部が空気冷媒熱交換器２３よりも筺体１０の後方側に突出するように配置している。また、ファン２４、２５は筐体１０内の中心１０Ａよりも前方側となるように配置されている。【選択図】図３
2007183053.tif 000002
【特許請求の範囲】
【請求項１】
圧縮機、水冷媒熱交換器、空気冷媒熱交換器、減圧手段を順次接続した閉回路で冷媒を循環させる冷媒循環回路と、前記水冷媒熱交換器で加熱された温水を貯蔵する円筒状の貯湯タンクと、前記空気冷媒熱交換器に送風するファンと、前記冷媒循環回路と前記貯湯タンクと前記ファンとを一体に収納する筺体とを備え、前記貯湯タンクと前記ファンを左右方向に設置し、前記筐体内に前記ファン側と前記貯湯タンク側とを仕切る仕切り板を設け、前記仕切り板の一部を、前記貯湯タンクの側面形状に沿った形状とするヒートポンプ給湯機。
【請求項２】
貯湯タンクの重心位置を筐体内の中心位置よりも後方側とし、かつファンの位置を前記筐体内の中心位置よりも前方側なるように配置した請求項１記載のヒートポンプ給湯機。
【請求項３】
空気冷媒熱交換器の少なくとも一部を筐体の後方側に配置し、貯湯タンクの一部が前記空気冷媒熱交換器よりも前記筺体の後方側に突出するように前記貯湯タンクを配置したことを特徴とする請求項２記載のヒートポンプ給湯機。
【請求項４】
空気冷媒熱交換器に送風するファンを複数設けた請求項１から３のいづれか１項に記載のヒートポンプ給湯機。
【発明の詳細な説明】
【技術分野】
【０００１】
本発明は、圧縮機、水冷媒熱交換器、空気冷媒熱交換器、減圧手段を順次接続した閉回路で冷媒を循環させる冷媒循環回路と、この水冷媒熱交換器で加熱された温水を貯蔵する貯湯タンクとを一つの筐体内に収納するヒートポンプ給湯機に関するものである。
【背景技術】
【０００２】
従来の貯湯式給湯装置では、圧縮機、水冷媒熱交換器、空気冷媒熱交換器、減圧手段を順次接続した閉回路で冷媒を循環させる冷媒循環回路と、この水冷媒熱交換器で加熱された温水を貯蔵する貯湯タンクとを一つの筐体内に収納して構成していた（例えば、特許文献１参照）。
【特許文献１】特開２００５−０８３７１２号公報
【発明の開示】
【発明が解決しようとする課題】
【０００３】
ところで、上記のような貯湯式給湯装置では、冷媒循環回路と貯湯タンクが一体に収納されているため、設置のための省スペース化を図ることができ、特に日本の狭小な住宅事情を考慮すると最適な構成といえる。また、狭小な住宅事情を考慮すると、今後も更に小型化した貯湯式給湯装置の需要が高まると考えられる。
【０００４】
ここで、貯湯式給湯装置の筐体を小型化する上で、筐体内に設けられた冷媒循環回路や貯湯タンクの小型化が考えられる。しかし、過度に冷媒循環回路の体積を小型化しようとすると、加熱能力も低下し、使用者に十分量の湯を供給できなくなる。また、貯湯タンクを小型化するために容量を少なくすると、使用中に湯切れの問題を生じやすくなる。従って、冷媒循環回路も貯湯タンクもある一定容量以上に小型化することはできない。
【課題を解決するための手段】
【０００５】
前記従来の課題を解決するために、本発明のヒートポンプ給湯機は、筐体内にファン側と貯湯タンク側とを仕切る仕切り板を設け、その仕切り板の一部を貯湯タンクの側面形状に沿った形状となるように構成する。
【０００６】
これによれば、貯湯タンクの容量を一定以上に保った上で筐体全体の小型化を図り、かつ筐体内の配線や配管類の収納も可能となるので、省スペースな設置を可能とし湯切れが頻繁に発生しないヒートポンプ給湯機を提供できる。
【発明の効果】
【０００７】
本発明のヒートポンプ給湯機は、仕切り板の一部を貯湯タンクの側面形状に沿った形状とするので、貯湯タンクの容量を一定以上に保った上で筐体全体の小型化を図り、かつ筐体内の配線や配管類の収納できる。
【発明を実施するための最良の形態】
【０００８】
第１の発明は、圧縮機、水冷媒熱交換器、空気冷媒熱交換器、減圧手段を順次接続した閉回路で冷媒を循環させる冷媒循環回路と、水冷媒熱交換器で加熱された温水を貯蔵する円筒状の貯湯タンクと、空気冷媒熱交換器に送風するファンと、冷媒循環回路と貯湯タンクとファンとを一体に収納する筺体とを備え、貯湯タンクとファンを左右方向に設置し、筐体内にファン側と貯湯タンク側とを仕切る仕切り板を設け、仕切り板の一部を貯湯タンクの側面形状に沿った形状とするものである。
【０００９】
これによれば、貯湯タンクの容量を一定以上に保った上で筐体全体の小型化を図り、かつ筐体内の配線や配管類の収納できる。
【００１０】
第２の発明は、特に第１の発明において、貯湯タンクの重心位置を筐体内の中心位置よりも後方側とし、かつファンの位置を筐体内の中心位置よりも前方側なるように配置したものである。
【００１１】
貯湯タンクを後方に配置することにより、貯湯タンクの前方に配管類を設置するスペースが空き、メンテナンス時には作業が行いやすくなる。
【００１２】
第３の発明は、特に第２の発明において、空気冷媒熱交換器の少なくとも一部を筐体の後方側に配置し、貯湯タンクの一部が空気冷媒熱交換器よりも筺体の後方側に突出するように貯湯タンクを配置したものである。
【００１３】
第１の発明や第２の発明のように、仕切り板の一部を貯湯タンクの側面形状に沿った形状とすると、通風路が狭められるため風量が少なくなってしまうので、特に運転中は十分な風量を確保しなければならない。そこで、筺体の後方側に突出して貯湯タンクを構成すると、突出した分だけ隙間が生じるので、自ずと給湯機に取り込まれる風量が確保され、運転を継続できる。また、設置時に風量が確保されないような置き方をされてしまうことを事前に回避できる。
【００１４】
第４の発明は、特に第１から３のいずれかの発明において、空気冷媒熱交換器に送風するファンを複数設けたものである。これによれば、仕切り板の一部を貯湯タンクの側面形状に沿った形状として、通風路が狭められるため風量が少なくなってしまう場合でも、複数のファンにより給湯機に取り込まれる風量が確保され、十分な風量で以て運転を継続できる。
【００１５】
以下、本発明の実施の形態について、図面を参照しながら説明する。なお、この実施の形態によって本発明が限定されるものではない。
【００１６】
（実施の形態１）
以下本発明の一実施例によるヒートポンプ給湯機について説明する。
【００１７】
図１は、本実施例によるヒートポンプ給湯機の概略構成を示す斜視図、図２は同ヒートポンプ給湯機の内部配置を示す正面図、図３は同ヒートポンプ給湯機の平面図である。
【００１８】
まず、特に図１及び図２を用いて全体構成について説明する。
【００１９】
本実施例によるヒートポンプ給湯機は、立方形状からなる筐体１０内部に、冷媒循環回路２０と貯湯タンク３０とを有している。
【００２０】
筐体１０内部は、仕切り板１１によって左右方向に２つの空間が形成され、一方の空間に冷媒循環回路２０が配置され、他方の空間に貯湯タンク３０が配置されている。
【００２１】
冷媒循環回路２０は、圧縮機２１、水冷媒熱交換器２２、空気冷媒熱交換器２３、減圧手段（図示せず）を順次接続し、冷媒を循環させる閉回路で構成されている。なお、この冷媒としては二酸化炭素冷媒を用いるものが好ましい。
【００２２】
ここで圧縮機２１及び水冷媒熱交換器２２は、支持板１２上に設置されている。空気冷媒熱交換器２３は、筐体１０の一方の空間の後方面及び側面を覆うように平面視で略Ｌ字
状に配置されている。また、筐体１０の一方の空間には、複数のファン２４、２５が配置されている。これらのファン２４、２５によって、空気冷媒熱交換器２３での熱交換を行う。
【００２３】
支持板１２の下面には、筺体１０を設置面に設置するための筺体支持脚１３が設けられている。
【００２４】
また、貯湯タンク３０の下部には、支持板１２との間を連結するタンク支持脚３１が設けられている。
【００２５】
また、貯湯タンク３０の前方下部分に、貯湯タンク３０に水を供給する給水管３２、貯湯タンク３０のお湯を外部に導出する給湯管３３、風呂追い炊き用給湯管３４、及び風呂追い炊き用給水管３５をそれぞれ接続する接続弁３２Ａ、３３Ａ、３４Ａ、３５Ａを配置している。貯湯タンク３０の前方下部分に位置する支持板１２は、他の面よりも高い位置に設けることで、貯湯タンク３０の前方下部分には、接続弁３２Ａ、３３Ａ、３４Ａ、３５Ａが配置される空間を形成している。なお、図１においては、これらの接続弁３２Ａ、３３Ａ、３４Ａ、３５Ａを省略している。
【００２６】
次に、図３を用いて空気冷媒熱交換器２３、貯湯タンク３０の配置構成と、それらを仕切る仕切り板１１の配置構成について説明する。
【００２７】
空気冷媒熱交換器２３と貯湯タンク３０とは、仕切り板１１の左右方向に設置しており、仕切り板１１はその一部が貯湯タンク３０の側面に沿った形状となっている。また、貯湯タンク３０の重心位置３０Ａは筐体１０内の中心１０Ａよりも後方側となるように配置し、その一部が空気冷媒熱交換器２３よりも筺体１０の後方側に突出するように配置している。また、ファン２４、２５は筐体１０内の中心１０Ａよりも前方側となるように配置されている。
【００２８】
なお、本実施例によるヒートポンプ給湯機は、筺体１０の奥行き寸法を３０センチメートル以上５０センチメートル以下であることが好ましく、貯湯タンク３０のタンク容量を５０リットル以上１５０リットル以下、更には１００リットル以上１５０リットル以下であることがより好ましい。
【００２９】
以上のように本実施例によれば、仕切り板１１の形状をその一部が貯湯タンク３０の側面に沿った形状となるようにしているので、貯湯タンク３０の容量を一定以上に保った上で筐体１０全体の小型化を図り、かつ筐体１０内の配線や配管類の収納できる。
【００３０】
また、本実施例によれば、貯湯タンク３０の重心位置３０Ａは筐体１０内の中心１０Ａよりも後方側となるように配置し、その一部が空気冷媒熱交換器２３よりも筺体１０の後方側に突出するように配置しているので、貯湯タンク３０の前方に配管類を設置するスペースが空き、メンテナンス時には作業が行いやすくなる。また、突出した分だけ筐体１０の後ろ側に隙間が生じるので、自ずと給湯機に取り込まれる風量が確保され、運転を継続できる。また、設置時に風量が確保されないような置き方をされてしまうことを事前に回避できる。
【００３１】
また、本実施例によれば、貯湯タンク３０の重心位置３０Ａを筐体１０内の中心１０Ａよりも後方側となるように配置し、かつファン２４、２５を筐体１０内の中心１０Ａよりも前方側となるように配置しているので、貯湯タンク３０の前方に配管類を設置するスペースが空き、メンテナンス時には作業が行いやすくなる。
【００３２】
また、本実施例ではファン２４、２５を複数設けているので、仕切り板１１によってファン２４、２５側の通風路が狭められ風量が少なくなってしまう場合でも、給湯機に取り込まれる風量が確保され、十分な風量により運転を継続できる。
【産業上の利用可能性】
【００３３】
本発明は、お風呂への給湯、沸き上げ機能を備えたヒートポンプ給湯機の他、暖房、乾燥機能を備えたヒートポンプ給湯機として利用することができる。
【図面の簡単な説明】
【００３４】
【図１】本実施例によるヒートポンプ給湯機の概略構成を示す斜視図
【図２】同ヒートポンプ給湯機の内部配置を示す正面図
【図３】同ヒートポンプ給湯機の仕切り板周辺を示す平面図
【符号の説明】
【００３５】
１０  筺体
１１  仕切り板
１２  支持板
１３Ａ、１３Ｂ、１３Ｃ、１３Ｄ、１３Ｅ  筺体支持脚
２０  冷媒循環回路
２１  圧縮機
２２  水冷媒熱交換器
２３  空気冷媒熱交換器
３０  貯湯タンク
３０Ａ  重心
３２  給水管
３２Ａ、３３Ａ、３４Ａ、３５Ａ  接続弁
【図１】
2007183053.tif 000003
【図２】
2007183053.tif 000004
【図３】
2007183053.tif 000005